(57)【要約】【課題】外部からディスク保持ケース内部に入り込む塵埃の量を減らす。【解決手段】サーボライタ２は、４個のディスク保持ケース８を備える。ディスク保持ケース８は、フレキシブル磁気ディスク３を保持する保持位置と退避位置との間で移動する。ディスク保持ケース８を、上ケース２１と下ケース２２とから構成する。上ケース２１に稼働用切欠き２１ｅを、下ケース２２に稼働用切欠き２２ｅを、それぞれ形成する。第１〜第３のディスク保持ケース８の上ケース２１に、第１上遮蔽板２８及び第２上遮蔽板２９を取り付ける。第４のディスク保持ケース８の上ケース２１に、上全面遮蔽板２５を取り付ける。第１〜第４のディスク保持ケース８の下ケース２２に、第１下遮蔽板２６及び第２下遮蔽板２７を取り付ける。【選択図】図１
2007141320.tif 000002
【特許請求の範囲】
【請求項１】
センターコアが固着された複数のフレキシブル磁気ディスクが重ねられて載せられ、前記複数のフレキシブル磁気ディスクを回転させるスピンドルモータと、
前記スピンドルモータにより回転された前記複数のフレキシブル磁気ディスクにサーボ信号を同時に記録する移動自在な複数の磁気ヘッドと、
前記フレキシブル磁気ディスクの上下両面を保持し、前記センターコアの回転及び前記磁気ヘッドの移動を可能にするための切欠きが形成された複数のディスク保持ケースと、を有するサーボライタであって、
前記複数のディスク保持ケースそれぞれに、前記切欠きの上側の一部を遮蔽する上カバー部と、前記切欠きの下側の一部を遮蔽する下カバー部と、を設けたことを特徴とするサーボライタ。
【請求項２】
前記複数のディスク保持ケースのうちの最上段に位置するディスク保持ケースに、前記切欠きの上側全面を遮蔽する上全面カバー部を設けたことを特徴とする請求項１記載のサーボライタ。
【請求項３】
前記複数のフレキシブル磁気ディスクそれぞれに形成されたディスク孔と、
前記スピンドルモータに設けられ、前記各ディスク孔に挿通するモータ軸と、
前記モータ軸の上側端部を保持する保持部材と、を備え、
前記上全面カバー部に、前記モータ軸を挿通する挿通孔を形成したことを特徴とする請求項２記載のサーボライタ。
【請求項４】
センターコアが固着された複数のフレキシブル磁気ディスクを重ねて回転させ、
回転された前記複数のフレキシブル磁気ディスクに、移動自在な複数の磁気ヘッドでサーボ信号を同時に記録するサーボライト方法であって、
前記センターコアの回転及び前記磁気ヘッドの移動を可能にするための切欠きが形成された複数のディスク保持ケースにより、前記複数のフレキシブル磁気ディスクの上下両面を保持し、且つ、前記複数のディスク保持ケースそれぞれに設けられた上カバー部及び下カバー部により、各切欠きの上側の一部及び各切欠きの下側の一部を遮蔽した状態で、前記複数のフレキシブル磁気ディスクにサーボ信号を同時に記録することを特徴とするサーボライト方法。
【請求項５】
請求項１ないし３いずれか１つ記載のサーボライタでサーボ信号を記録したことを特徴とするフレキシブル磁気ディスク。
【発明の詳細な説明】
【技術分野】
【０００１】
本発明は、複数のフレキシブル磁気ディスクにサーボ信号を同時に記録するサーボライタ及び方法、並びにフレキシブル磁気ディスクに関するものである。
【背景技術】
【０００２】
ディスクドライブ装置に装填されるフレキシブル磁気ディスクには、ディスクドライブ装置の記録／再生ヘッドの位置を制御するためのサーボ信号が記録されている（例えば、特許文献１参照）。このサーボ信号は、サーボライタで記録される。サーボライタは、スピンドルモータと書込みヘッド（本件の磁気ヘッド）とを備え、スピンドルモータでフレキシブル磁気ディスクを回転させ、回転させた状態のフレキシブル磁気ディスクに書込みヘッドによりサーボ信号を記録する。
【０００３】
近年では、フレキシブル磁気ディスクの普及が高まり、その需要が増加しており、生産効率の向上及び低価格化を図るために、短時間でより多くのフレキシブル磁気ディスクにサーボ信号を記録することが求められている。サーボライタを多数設置した場合には、短時間で多くのフレキシブル磁気ディスクにサーボ信号を記録することができるが、サーボライタの購入費用等により、フレキシブル磁気ディスク自体のコストアップになっていた。そこで、センターコアが固着されたフレキシブル磁気ディスクを複数重ねて、１機のサーボライタで、複数のフレキシブル磁気ディスクに同時にサーボ信号を記録することが考えられている。このようなサーボライタでは、フレキシブル磁気ディスクを保持する保持ケースを複数（フレキシブル磁気ディスクの枚数分）設けている。
【０００４】
保持ケースには、センターコアの回転を可能にするとともに磁気ヘッドの移動を可能にするための切欠きが形成されている。これにより、センターコアの回転及び磁気ヘッドの移動を可能にしている。
【特許文献１】特開平１１−６６７７７号公報
【発明の開示】
【発明が解決しようとする課題】
【０００５】
しかしながら、上記したようなサーボライタでは、稼働中に、保持ケースに形成されたコア用切欠き及びヘッド用切欠きから塵埃が保持ケース内部に入り込み、フレキシブル磁気ディスク上に塵埃が付着してしまうという問題があった。フレキシブル磁気ディスク上に塵埃が付着した場合には、塵埃が付着した部分にサーボライトすることが出来ない、さらには、磁気ヘッドが塵埃に接触して破損してしまうという問題があった。
【０００６】
本発明は、上記課題を解決するためになされたものであり、フレキシブル磁気ディスク上に塵埃が付着するのを防止することができるサーボライタ及び方法、並びにフレキシブル磁気ディスクを提供することを目的とする。
【課題を解決するための手段】
【０００７】
上記目的を達成するために、本発明のサーボライタは、センターコアが固着された複数のフレキシブル磁気ディスクが重ねられて載せられ、前記複数のフレキシブル磁気ディスクを回転させるスピンドルモータと；前記スピンドルモータにより回転された前記複数のフレキシブル磁気ディスクにサーボ信号を同時に記録する移動自在な複数の磁気ヘッドと；前記フレキシブル磁気ディスクの上下両面を保持し、前記センターコアの回転及び前記磁気ヘッドの移動を可能にするための切欠きが形成された複数のディスク保持ケースと；を有するサーボライタであって、前記複数のディスク保持ケースそれぞれに、前記切欠きの上側の一部を遮蔽する上カバー部と、前記切欠きの下側の一部を遮蔽する下カバー部と、を設けたことを特徴とする。なお、前記上カバー部及び下カバー部を、前記ディスク保持ケースに一体的に形成する、または、前記ディスク保持ケースに一体的に取り付けることが好ましい。また、前記上カバー部及び前記下カバー部は、前記センターコアの回転及び前記磁気ヘッドの移動を妨げることなく、前記切欠きの上側の一部及び下側の一部を遮蔽するものである。
【０００８】
また、前記複数のディスク保持ケースのうちの最上段に位置するディスク保持ケースに、前記切欠きの上側全面を遮蔽する上全面カバー部を設けることが好ましい。
【０００９】
さらに、前記複数のフレキシブル磁気ディスクそれぞれに形成されたディスク孔と；前記スピンドルモータに設けられ、前記各ディスク孔に挿通するモータ軸と；前記モータ軸の上側端部を保持する保持部材と；を備え、前記上全面カバー部に、前記モータ軸を挿通する挿通孔を形成することが好ましい。
【００１０】
また、本発明のサーボライト方法は、センターコアが固着された複数のフレキシブル磁気ディスクを重ねて回転させ、回転された前記複数のフレキシブル磁気ディスクに、移動自在な複数の磁気ヘッドでサーボ信号を同時に記録するサーボライト方法であって、前記センターコアの回転及び前記磁気ヘッドの移動を可能にするための切欠きが形成された複数のディスク保持ケースにより、前記複数のフレキシブル磁気ディスクの上下両面を保持し、且つ、前記複数のディスク保持ケースそれぞれに設けられた上カバー部及び下カバー部により、各切欠きの上側の一部及び各切欠きの下側の一部を遮蔽した状態で、前記複数のフレキシブル磁気ディスクにサーボ信号を同時に記録することを特徴とする。
【００１１】
さらに、本発明のフレキシブル磁気ディスクは、上記したサーボライタでサーボ信号を記録したことを特徴とする。
【発明の効果】
【００１２】
本発明のサーボライタによれば、センターコアが固着された複数のフレキシブル磁気ディスクが重ねられて載せられ、複数のフレキシブル磁気ディスクを回転させるスピンドルモータと；スピンドルモータにより回転された複数のフレキシブル磁気ディスクにサーボ信号を同時に記録する移動自在な複数の磁気ヘッドと；フレキシブル磁気ディスクの上下両面を保持し、センターコアの回転及び磁気ヘッドの移動を可能にするための切欠きが形成された複数のディスク保持ケースと；を有し、複数のディスク保持ケースそれぞれに、切欠きの上側の一部を遮蔽する上カバー部と、切欠きの下側の一部を遮蔽する下カバー部と、を設けたから、外部からディスク保持ケース内部に入り込む塵埃の量を減らすことができ、フレキシブル磁気ディスクに塵埃が付着することに起因するサーボライト不良及び磁気ヘッドの破損を確実に削減することができる。
【００１３】
また、複数のディスク保持ケースのうちの最上段に位置するディスク保持ケースに、前記切欠きの上側全面を遮蔽する上全面カバー部を設けたから、より一層確実に、ディスク保持ケース内部に外部から塵埃が入り込むのを防止することができる。
【００１４】
さらに、本発明のサーボライト方法によれば、センターコアが固着された複数のフレキシブル磁気ディスクを重ねて回転させ、回転された複数のフレキシブル磁気ディスクに、移動自在な複数の磁気ヘッドでサーボ信号を同時に記録するサーボライト方法であって、センターコアの回転及び磁気ヘッドの移動を可能にするための切欠きが形成された複数のディスク保持ケースにより、複数のフレキシブル磁気ディスクの上下両面を保持し、且つ、複数のディスク保持ケースそれぞれに設けられた上カバー部及び下カバー部により、各切欠きの上側の一部及び各切欠きの下側の一部を遮蔽した状態で、複数のフレキシブル磁気ディスクにサーボ信号を同時に記録するから、外部からディスク保持ケース内部に入り込む塵埃の量を減らすことができ、フレキシブル磁気ディスクに塵埃が付着することに起因するサーボライト不良及び磁気ヘッドの破損を確実に削減することができる。
【００１５】
また、本発明のフレキシブル磁気ディスクによれば、上記したサーボライタでサーボ信号を記録したから、サーボライト不良及び磁気ヘッドの破損を確実に削減することにより、フレキシブル磁気ディスク１枚当たりのコストを下げることができる。
【発明を実施するための最良の形態】
【００１６】
図１、図２及び図３に示すように、本発明を実施したサーボライタ２は、４枚のフレキシブル磁気ディスク３に同時にサーボ信号を記録するものであり、スピンドルモータ４、磁気ヘッド５が先端部に取り付けられたサスペンションアーム６、制御部７、ディスク保持ケース８を備える。ディスク保持ケース８は、４個設けられており、これら４個のディスク保持ケース８は、詳しくは後述するようにユニット化され、移動機構９により、フレキシブル磁気ディスク３を保持する保持位置（図３参照）とこの保持位置から退避した退避位置（図１及び図２参照）との間で移動可能に設けられている。移動機構９は、制御部７に接続されており、制御部７により駆動が制御される。本実施形態では、下から順に、第１のディスク保持ケース８、第２のディスク保持ケース８、第３のディスク保持ケース８、第４のディスク保持ケース８と称する。
【００１７】
サーボライタ２は、３個のスペーサ１１を備える。スピンドルモータ４のスピンドルヘッド３２に係合されたフレキシブル磁気ディスク３の上には、スペーサ１１が載せられる。そして、スペーサ１１の上には、フレキシブル磁気ディスク３、スペーサ１１、フレキシブル磁気ディスク３、スペーサ１１、フレキシブル磁気ディスク３の順で載せられる。本実施形態では、下から順に、第１のスペーサ１１、第２のスペーサ１１、第３のスペーサ１１と称するとともに、下から順に、第１のフレキシブル磁気ディスク３、第２のフレキシブル磁気ディスク３、第３のフレキシブル磁気ディスク３、第４のフレキシブル磁気ディスク３と称する。なお、図１では、簡略的に、第１のフレキシブル磁気ディスク３及び第１のスペーサ１１のみを図示している。
【００１８】
フレキシブル磁気ディスク３は、両面に磁性層がコーティングされており、中心部にディスク孔３ａが形成されている。フレキシブル磁気ディスク３の下面の中心部には、金属製のセンターコア１５が両面テープ等により取り付けられている。センターコア１５は、円盤状に形成されており、中心部には挿通孔１５ａが形成され、下面にはスピンドルヘッド３２またスペーサ１１と係合するためのリング状の係合凸部が形成されている。
【００１９】
磁気ヘッド５は、フレキシブル磁気ディスク３にサーボ信号を記録するためのものであり、サスペンションアーム６の先端部に取り付けられている。磁気ヘッド５は、ヘッド本体を備え、ヘッド本体は、フレキシブル磁気ディスク３に記録するデータに対応する電気信号を磁界に変換する記録素子から構成されている。磁気ヘッド５は、接続ワイヤ（図示せず）により制御部７に接続されており、制御部７により駆動が制御され、フレキシブル磁気ディスク３にサーボ信号の記録を行う。
【００２０】
サスペンションアーム６は、弾性変形可能な薄板金属製の上ロードビーム１７及び下ロードビーム１８を備える。上ロードビーム１７及び下ロードビーム１８は、ＶＣＭ（ヴォイスコイルモータ）から構成されるロードモータ１９のモータシャフト１９ａに、回転自在に取り付けられている。ロードモータ１９の駆動により上ロードビーム１７及び下ロードビーム１８は回転する。上ロードビーム１７の下面先端部及び下ロードビーム１８の上面先端部には、磁気ヘッド５が取り付けられている。サスペンションアーム６は、回転させると、上ロードビーム１７と下ロードビーム１８との間にフレキシブル磁気ディスク３が入り込む機構により、フレキシブル磁気ディスク３を挟み込む状態となるように配設されている。これにより、フレキシブル磁気ディスク３の上下両面にサーボ信号を記録することができる。ロードモータ１９は、制御部７に接続されており、制御部７により駆動が制御される。ロードモータ１９は、スピンドルモータ４が固定されるベース板（図示せず）に固定されている。
【００２１】
サスペンションアーム６は、４個設けられており、これにより、４枚のフレキシブル磁気ディスク３の上下両面に同時にサーボ信号を記録することができる。なお、磁気ヘッド５は、弾性変形する上ロードビーム１７及び下ロードビーム１８により、常に一定の力でフレキシブル磁気ディスク３に押し付けられる方向に付勢される。
【００２２】
図３、図４及び図５に示すように、ディスク保持ケース８は、フレキシブル磁気ディスク３の上下両面を保持するためのものであり、上ケース２１と下ケース２２とから構成されている。上ケース２１及び下ケース２２は、ディスク保持ケース８が退避位置から保持位置に移動したときに、各サスペンションアーム６が、後述する上全面遮蔽板２５または第１上遮蔽板２８及び第２上遮蔽板２９と、第１下遮蔽板２６及び第２下遮蔽板２７との間に位置するようなサイズで形成されている。また、上ケース２１及び下ケース２２は、ディスク保持ケース８が退避位置から保持位置に移動したときに、第４のフレキシブル磁気ディスク３のセンターコア１５が、後述する上全面遮蔽板２５よりも下方に位置するように形成されている。なお、図４は、第４のディスク保持ケース８の上ケース２１及び下ケース２２を示し、図５は、第１〜第３のディスク保持ケース８の上ケース２１及び下ケース２２を示している。
【００２３】
上ケース２１は、板状の本体部２１ａに、下ケース２２の第１〜第３係合凸部２２ｂ〜２２ｄが挿入される第１切欠き２１ｂ，第２切欠き２１ｃ，第３切欠き２１ｄが形成されている。本体部２１ａには、ディスク保持ケース８が保持位置に位置するときに、サスペンションアーム６の移動及びセンターコア１５の回転を可能にするための駆動用切欠き（切欠き）２１ｅが形成されている。本体部２１ａのフレキシブル磁気ディスク３が挿入されるときの入口は、フレキシブル磁気ディスク３のガイドとしてテーパ状に形成されている。本体部２１ａの下面には、フレキシブル磁気ディスク３の表面塵埃を除去するとともに傷つくのを防止するためのライナー（図示せず）が貼り付けられている。
【００２４】
下ケース２２は、板状の本体部２２ａの上面に、上ケース２１の第１〜第３切欠き２１ｂ〜２１ｄに挿入される第１係合凸部２２ｂ，第２係合凸部２２ｃ，第３係合凸部２２ｄが形成されている。本体部２２ａには、ディスク保持ケース８が保持位置に位置するときに、サスペンションアーム６の移動及びセンターコア１５の回転を可能にするための駆動用切欠き（切欠き）２２ｅが形成されている。本体部２２ａのフレキシブル磁気ディスク３が挿入されるときの入口は、フレキシブル磁気ディスク３のガイドとしてテーパ状に形成されている。本体部２２ａの略中心部には、フレキシブル磁気ディスク３の外径よりも若干大きい径のディスク凹部２２ｆが形成されており、このディスク凹部２２ｆには、フレキシブル磁気ディスク３の表面塵埃を除去するとともに傷つくのを防止するためのライナー（図示せず）が貼り付けられている。
【００２５】
図４に示すように、第４のディスク保持ケース８の上ケース２１には、駆動用切欠き２１ｅの全面を遮蔽するための上全面遮蔽板（上全面カバー部）２５が取り付けられる。この上全面遮蔽板２５は、駆動用切欠き２１ｅと略同一形状で形成されている。上全面遮蔽板２５は、上ケース２１の１／５程度の厚みで形成されており、上全面遮蔽板２５を上ケース２１に取り付け、ディスク保持ケース８を退避位置から保持位置に移動させ、サスペンションアーム６を回転させたときに、サスペンションアーム６が上全面遮蔽板２５に当接しないようにされている。上全面遮蔽板２５を上ケース２１に取り付ける場合には、上全面遮蔽板２５の上面が上ケース２１の上面に略一致するように、接着剤等により取り付ける。なお、上ケース２１と上全面遮蔽板２５とを一体的に形成するようにしてもよい。
【００２６】
第４のディスク保持ケース８の下ケース２２には、駆動用切欠き２２ｅの一部を遮蔽するための第１下遮蔽板（下カバー部）２６及び第２下遮蔽板（下カバー部）２７が取り付けられる。第１下遮蔽板２６及び第２下遮蔽板２７は、下ケース２２に取り付けたときに、駆動用切欠き２２ｅのうちの、センターコア１５の回転を可能にするための切欠き範囲（図４におけるハッチングされた範囲）以外の範囲を遮蔽するように形成されている。第１下遮蔽板２６及び第２下遮蔽板２７は、下ケース２２の１／５程度の厚みで形成されており、第１下遮蔽板２６及び第２下遮蔽板２７を下ケース２２に取り付け、ディスク保持ケース８を退避位置から保持位置に移動させ、サスペンションアーム６を回転させたときに、サスペンションアーム６が第１下遮蔽板２６及び第２下遮蔽板２７に当接しないようにされている。第１下遮蔽板２６及び第２下遮蔽板２７を下ケース２２に取り付ける場合には、第１下遮蔽板２６及び第２下遮蔽板２７の下面が下ケース２２の下面に略一致するように、接着剤等により取り付ける。なお、下ケース２２と第１下遮蔽板２６及び第２下遮蔽板２７とを一体的に形成するようにしてもよい。
【００２７】
図５に示すように、第１〜第３のディスク保持ケース８の上ケース２１には、駆動用切欠き２１ｅの一部を遮蔽するための第１上遮蔽板（上カバー部）２８及び第２上遮蔽板（上カバー部）２９が取り付けられる。第１上遮蔽板２８及び第２上遮蔽板２９は、上ケース２１に取り付けたときに、駆動用切欠き２１ｅのうちの、センターコア１５の回転を可能にするための切欠き範囲（図５におけるハッチングされた範囲）以外の範囲を遮蔽するように形成されている。第１上遮蔽板２８及び第２上遮蔽板２９は、上ケース２１の１／５程度の厚みで形成されており、第１上遮蔽板２８及び第２上遮蔽板２９を上ケース２１に取り付け、ディスク保持ケース８を退避位置から保持位置に移動させ、サスペンションアーム６を回転させたときに、サスペンションアーム６が第１上遮蔽板２８及び第２上遮蔽板２９に当接しないようにされている。第１上遮蔽板２８及び第２上遮蔽板２９を上ケース２１に取り付ける場合には、第１上遮蔽板２８及び第２上遮蔽板２９の上面が上ケース２１の上面に略一致するように、接着剤等により取り付ける。なお、上ケース２１と第１上遮蔽板２８及び第２上遮蔽板２９とを一体的に形成するようにしてもよい。
【００２８】
第１〜第３のディスク保持ケース８の下ケース２２には、第４のディスク保持ケース８の下ケース２２と同様に、第１下遮蔽板２６及び第２下遮蔽板２７が取り付けられる。
【００２９】
上ケース２１と下ケース２２とを取り付ける場合には、第１〜第３係合凸部２２ｂ〜２２ｄを第１〜第３切欠き２１ｂ〜２１ｄに挿入し、上ケース２１と下ケース２２とを係合させた後、固定用ネジ等により上ケース２１と下ケース２２とを取り付ける。
【００３０】
なお、ディスク保持ケース８を、退避位置から保持位置まで移動させるときには、フレキシブル磁気ディスク３を停止した状態、または、フレキシブル磁気ディスク３とディスク保持ケース８とが接触してもディスクの傷付きが起こりにくい低速（例えば、３００ｒｐｍ以下）で回転させた状態で移動させるように設定されている。本実施形態では、フレキシブル磁気ディスク３を２００ｒｐｍで回転させた状態で、ディスク保持ケース８を、退避位置から保持位置まで移動させるようにされている。
【００３１】
図１に示すように、スピンドルモータ４は、フレキシブル磁気ディスク３を回転させるためのものであり、モータ本体３１とスピンドルヘッド３２とモータシャフト（モータ軸）３３とを備える。モータ本体３１は、制御部７に接続されており、制御部７により駆動が制御される。モータ本体３１が駆動すると、スピンドルヘッド３２及びモータシャフト３３が回転する。スピンドルモータ４は、ベース板（図示せず）に固定されている。
【００３２】
スピンドルヘッド３２は、円柱状に形成されており、上面の中心部にはモータシャフト３３が取り付けられている。スピンドルヘッド３２の上面には、第１のフレキシブル磁気ディスク３のセンターコア１５の係合凸部１５ｂが挿入される係合凹部３２ａが形成されている。スピンドルヘッド３２の内部には、磁石が１２０°ピッチで３個埋め込まれており、係合凹部３２ａにセンターコア１５の係合凸部を挿入してセンターコア１５とスピンドルヘッド３２とを係合させ位置決めすると、磁石の磁気により金属製のセンターコア１５が保持される。なお、スピンドルヘッド３２に埋め込む磁石の個数は適宜変更可能であり、リング状に連続して構成した磁石を用いてもよい。
【００３３】
図３に示すように、スピンドルヘッド３２に係合された第１のフレキシブル磁気ディスク３の上には、第１のスペーサ１１が載せられる。そして、第１のスペーサ１１の上には、第２のフレキシブル磁気ディスク３、第２のスペーサ１１、第３のフレキシブル磁気ディスク３、第３のスペーサ１１、第４のフレキシブル磁気ディスク３の順で載せられる。モータシャフト３３は、第４のフレキシブル磁気ディスク３の上面から突出し、第４のディスク保持ケース８に取り付けられた上全面遮蔽板２５に当接しない長さで形成されている。
【００３４】
図１及び図３に示すように、スペーサ１１は、側面の中心部に溝が形成された略円盤状に形成されている。スペーサ１１の中心部には、モータシャフト３３を挿通させるとともにモータシャフト３３と係合する挿通孔１１ａが形成されている。
【００３５】
スペーサ１１の上面には、フレキシブル磁気ディスク３のセンターコア１５の係合凸部が挿入される係合凹部１１ｂが形成されている。
【００３６】
スペーサ１１には、その上面及び下面それぞれに磁石が１２０°ピッチで３個ずつ埋め込まれている。この磁石の磁気により、第１のフレキシブル磁気ディスク３のセンターコア１５と第１のスペーサ１１とが係止される。さらに、第１のスペーサ１１の係合凹部１１ｂに、第２のフレキシブル磁気ディスク３のセンターコア１５の係合凸部を挿入してセンターコア１５と第１のスペーサ１１とを係合させて位置決めすると、磁石の磁気により、第２のフレキシブル磁気ディスク３のセンターコア１５が第１のスペーサ１１に保持される。なお、スペーサ１１に埋め込む磁石の個数は適宜変更可能であり、リング状に連続して構成した磁石を用いてもよい。
【００３７】
第１のスペーサ１１と同様にして、第２のフレキシブル磁気ディスク３のセンターコア１５と第２のスペーサ１１とが係止されるとともに、第３のフレキシブル磁気ディスク３のセンターコア１５が第２のスペーサ１１に保持される。さらには、第３のフレキシブル磁気ディスク３のセンターコア１５と第３のスペーサ１１とが係止されるとともに、第４のフレキシブル磁気ディスク３のセンターコア１５が第３のスペーサ１１に保持される。
【００３８】
上記のように構成されたサーボライタ２の作用について説明する。本発明を実施したサーボライタ２では、４枚のフレキシブル磁気ディスク３の各ディスク上下面を４個のディスク保持ケース８で保持した状態で、４枚のフレキシブル磁気ディスク３に同時にサーボ信号を記録する。第４のディスク保持ケース８の上ケース２１及び下ケース２２には、上全面遮蔽板２５、第１下遮蔽板２６及び第２下遮蔽板２７が取り付けられ、第１〜第３のディスク保持ケース８の上ケース２１及び下ケース２２には、第１上遮蔽板２８及び第２上遮蔽板２９、第１下遮蔽板２６及び第２下遮蔽板２７が取り付けられている。これにより、第４のディスク保持ケース８の駆動用切欠き２１ｅは全面が遮蔽され、第４のディスク保持ケース８の駆動用切欠き２２ｅの一部と、第１〜第３のディスク保持ケース８の各駆動用切欠き２１ｅ，２２ｅの一部とが遮蔽される。
【００３９】
このように、第４のディスク保持ケース８の上ケース２１及び下ケース２２に、上全面遮蔽板２５、第１下遮蔽板２６及び第２下遮蔽板２７を取り付け、第１〜第３のディスク保持ケース８の上ケース２１及び下ケース２２に、第１上遮蔽板２８及び第２上遮蔽板２９、第１下遮蔽板２６及び第２下遮蔽板２７を取り付けたから、外部からディスク保持ケース８内部に入り込む塵埃の量を減らすことができる。これにより、フレキシブル磁気ディスク３に塵埃が付着することに起因するサーボライト不良及び磁気ヘッドの破損を確実に削減することができる。
【００４０】
なお、上記実施形態では、４枚のフレキシブル磁気ディスク３に同時にサーボ信号を記録するサーボライタ２について説明したが、同時にサーボ信号を記録するフレキシブル磁気ディスク３の枚数は、適宜変更可能であり、これに応じて、磁気ヘッド５、サスペンションアーム６、ディスク保持ケース８、スペーサ１１、第１，第２下遮蔽板２６，２７、第１，第２上遮蔽板２８，２９の個数も、適宜変更可能されるものである。
【００４１】
また、上記実施形態では、ディスク保持ケース８を、上ケース２１と下ケース２２との２個の部材から構成したが、これに限定されることなく、フレキシブル磁気ディスク３の上下両面を保持することができればよく、１個または３個以上の部材で構成するようにしてもよい。
【００４２】
図６及び図７に他の実施形態を示す。上記実施形態のものと同様の構成部材には同一の符号を付し、その詳細な説明を簡略化する。この実施形態では、モータシャフト３３は、第４のディスク保持ケース８の上面から突出する長さで形成されている。第４のディスク保持ケース８の上ケース２１に取り付ける上全面遮蔽板２５には、挿通切欠き（挿通孔）２５ａが形成されている。挿通切欠き２５ａは、ディスク保持ケース８が退避位置から保持位置まで移動するときに、モータシャフト３３が上全面遮蔽板２５に接触しないようにするためのものである。
【００４３】
モータシャフト３３の上方には、モータシャフト３３を回転自在に支持するシャフト保持部材（保持部材）４０が配設されている。シャフト保持部材４０は、モータシャフト３３の上側端部が挿入される挿入凹部４０ａが形成されている。シャフト保持部材４０は、挿入凹部４０ａにモータシャフト３３が挿入されてモータシャフト３３を回転自在に支持する支持位置と、この支持位置から退避した退避位置との間で移動可能に設けられている。
【００４４】
シャフト保持部材４０は、第１〜第４のフレキシブル磁気ディスク３をセットする前は、退避位置に位置しており、第１〜第４のフレキシブル磁気ディスク３と第１〜第３のスペーサ１１とがセットされると、シャフト保持部材４０は、移動機構（図示せず）により、支持位置に移動される。シャフト保持部材４０が支持位置に移動されると、挿入凹部４０ａにモータシャフト３３の上側端部が挿入され、モータシャフト３３は、シャフト保持部材４０により回転自在に支持される。これにより、モータシャフト３３の芯ズレを防止することができる。
【００４５】
このように、モータシャフト３３を、第４のディスク保持ケース８の上面から突出する長さで形成し、モータシャフト３３の上側端部をシャフト保持部材４０で支持する場合にも、上全面遮蔽板２５に挿通切欠き２５ａを形成することにより、モータシャフト３３の移動及び回転に影響を与えることなく、第４のディスク保持ケース８の駆動用切欠き２１ｅを遮蔽することができる。
【図面の簡単な説明】
【００４６】
【図１】本発明を実施したサーボライタを示す斜視図である。
【図２】ディスク保持ケースが退避位置に位置するときのサーボライタを示す側面図である。
【図３】ディスク保持ケースが保持位置に位置するときのサーボライタを示す側面断面図である。
【図４】第４の上ケースと第４の下ケースと上全面遮蔽板と第１，第２下遮蔽板とを示す分解斜視図である。
【図５】第１〜第３の上ケースと第１〜第３の下ケースと第１，第２上遮蔽板と第１，第２下遮蔽板とを示す分解斜視図である。
【図６】シャフト保持部材を設けた実施形態のサーボライタを示す斜視図である。
【図７】図６に示す実施形態のディスク保持ケースが保持位置に位置するときのサーボライタを示す側面断面図である。
【符号の説明】
【００４７】
２  サーボライタ
３  フレキシブル磁気ディスク
４  スピンドルモータ
５  磁気ヘッド
６  サスペンションアーム
８  ディスク保持ケース
１５  センターコア
２１  上ケース
２１ｅ  駆動用切欠き（切欠き）
２２  下ケース
２２ｅ  駆動用切欠き（切欠き）
２５  上全面遮蔽板（上全面カバー部）
２５ａ  挿通切欠き（挿通孔）
２６  第１下遮蔽板（下カバー部）
２７  第２下遮蔽板（下カバー部）
２８  第１上遮蔽板（上カバー部）
２９  第２上遮蔽板（上カバー部）
３２  スピンドルヘッド
３３  モータシャフト（モータ軸）
４０  シャフト保持部材（保持部材）
【図１】
2007141320.tif 000003
【図２】
2007141320.tif 000004
【図３】
2007141320.tif 000005
【図４】
2007141320.tif 000006
【図５】
2007141320.tif 000007
【図６】
2007141320.tif 000008
【図７】
2007141320.tif 000009